(57)【特許請求の範囲】
【請求項１】
キャビネット１を有する槽体２と、
槽体２の底部に構成された排水口３と、
槽体２の上縁部に構成されたオーバーフロー孔４と、
キャビネット１内に配置され排水口３から下水管に接続される排水経路５と、
キャビネット１内に配置されオーバーフロー孔４から排水経路５に接続される溢水経路６と、
前記排水経路５中に構成される内部に封水８を備える排水トラップ７と、
から構成される排水装置において、
前記排水トラップ７の封水８より上流にエアー抜き管体９を構成し、
当該エアー抜き管体９を、一端を排水経路５内に配置し、他端を排水経路５外且つキャビネット１内に配置されるよう構成したことを特徴とする排水装置。
【請求項２】
前記排水経路５の封水８より上流箇所に、水平方向に突出して構成される排水溜まり空間１１を構成したことを特徴とする前記請求項１に記載の排水装置。
【請求項３】
前記排水溜まり空間１１を、溢水経路６と兼用したことを特徴とする前記請求項２に記載の排水装置。
【請求項４】
前記エアー抜き管体９の排水経路５内の端部を、排水トラップ７の封水８よりも上方で、且つ封水８近辺に配置させることを特徴とする前記請求項１乃至請求項３のいずれか一つに記載の排水装置。
【請求項５】
前記エアー抜き管体９の管径は、排水経路５の管径の略３分の１の管径であることを特徴とする前記請求項１乃至請求項４のいずれか一つに記載の排水装置。
【請求項６】
前記エアー抜き管体９の排水経路５外の端部に、消音装置を配置したことを特徴とする前記請求項１乃至請求項５のいずれか一つに記載の排水装置。
【発明の詳細な説明】
【技術分野】
【０００１】
本発明は、洗面台や流し台などの排水機器の排水に用いられる排水経路から発生する異音防止機能を備えた排水装置に関するものである。
【背景技術】
【０００２】
従来からある排水装置として以下のようなものがある。
この従来例に示すような排水装置は、図７に示したように槽体としての洗面ボウル、キャビネット、排水口、オーバーフロー孔、排水経路、溢水経路、排水トラップ、から構成される。
洗面ボウルは、内部に水を貯水／排水するための槽体であって、底部に排水口、上縁付近にオーバーフロー孔を開口して構成される。
キャビネットは、前記洗面ボウルを上部に備え、内部に収納部を備えて、収納部は後記する排水経路を収納する。
排水口は、洗面ボウルの底部に開口されて、洗面ボウル内の排水を排水経路へと排出するための開口である。また、後記する排水経路が接続される。
オーバーフロー孔は、洗面ボウルの上縁部付近に開口され、洗面ボウル内に貯水されている排水が洗面ボウルより溢れ出ないように開口され、後記する溢水経路が接続される。
排水経路は、排水口に接続されて最終的には下水管へと連絡される管体であって、洗面ボウル内の排水を最終的には下水へと排出する。また、排水経路は前記キャビネット内に配置される。
溢水経路は、洗面ボウル内のオーバーフロー孔から最終的には排水経路まで連絡する管体であって、洗面ボウル内の溢れ水を最終的には下水へと排出するために排水経路まで連絡し、具体的には排水経路の排水トラップの封水より上流に接続される。また、溢水経路は前記キャビネット内に配置される。溢水経路は排水経路の上流に接続されているので、下水側からの臭気がオーバーフロー孔を介して室内側へ逆流することがない。
排水トラップは、前記排水経路中に構成されて、管体をＵ字状に屈曲して構成されて、内部に下水からの害虫や臭気を逆流させないように封水を備えて構成される。
【０００３】
本従来例の排水装置においては、以下のように排水が流れる。
洗面ボウルに発生した排水は、洗面ボウル底面の排水口から排水経路へと排出される。排水経路中の排水は、排水トラップを通過して、最終的には下水管へと排出される。
洗面ボウル内からの溢れ水は、洗面ボウル上縁部に開口されたオーバーフロー孔から溢水経路へと排出される。そして、溢水経路中の排水は排水経路に排出され、最終的には排水トラップの封水を介して下水管へと排出される。
【０００４】
【特許文献１】実開昭６２−３８９７６号公報
【発明の開示】
【発明が解決しようとする課題】
【０００５】
上記したような従来の排水装置では以下のような問題点があった。
ところで、この排水トラップに水が流入すると、排水トラップのＵ字状の上昇部分の上昇端を回り込んだ水が下降部分を流れ落ちる。この下降部分を流れ落ちる水が、下降部分を塞いで流れ落ちる（この状態を、以下満水状態という）と、この落下流の上側に負圧が生じ、排水トラップ内の封水が下流へと吸い出され、封水の下降部分から上昇部分へ空気が引き込まれる。この空気の引き込みに伴って「ズルー」といったり、「ゴボゴボ」といった異音が発生する。
【０００６】
このような状態のときに、空気を引き込む箇所が室内側に面した洗面ボウルの排水口やオーバーフロー孔から空気を引き込むので、ズルー乃至ゴボゴボ音が室内側へ響いて大変な騒音となっていた。
本発明はこの問題を解決する排水装置を提供するものである。
【課題を解決するための手段】
【０００７】
請求項１に記載の本発明は、キャビネット１を有する槽体２と、槽体２の底部に構成された排水口３と、槽体２の上縁部に構成されたオーバーフロー孔４と、キャビネット１内に配置され排水口３から下水管に接続される排水経路５と、キャビネット１内に配置されオーバーフロー孔４から排水経路５に接続される溢水経路６と、前記排水経路５中に構成される内部に封水８を備える排水トラップ７と、から構成される排水装置において、前記排水トラップ７の封水８より上流にエアー抜き管体９を構成し、当該エアー抜き管体９を、一端を排水経路５内に配置し、他端を排水経路５外且つキャビネット１内に配置されるよう構成したことを特徴とする排水装置である。
【０００８】
請求項２に記載の本発明は、前記排水経路５の封水８より上流箇所に、水平方向に突出して構成される排水溜まり空間１１を構成したことを特徴とする前記段落０００７に記載の排水装置である。
【０００９】
請求項３に記載の本発明は、前記排水溜まり空間１１を、溢水経路６と兼用したことを特徴とする前記段落０００８に記載の排水装置である。
【００１０】
請求項４に記載の本発明は、前記排水溜まり空間１１を、溢水経路６と兼用したことを特徴とする前記段落０００８記載の排水装置である。
【００１１】
請求項５に記載の本発明は、前記エアー抜き管体９の排水経路５内の端部を、排水トラップ７の封水８よりも上方で、且つ封水８近辺に配置させることを特徴とする前記段落０００７乃至段落０００１０のいずれか一つに記載の排水装置である。
【００１２】
請求項６に記載の本発明は、前記エアー抜き管体９の排水経路５外の端部に、消音装置を配置したことを特徴とする前記段落０００７乃至段落００１１のいずれか一つに記載の排水装置である。
【発明の効果】
【００１３】
本発明の排水装置は上記のような構成としたため、以下のような優れた効果を奏する。
請求項１に記載の排水装置は、排水トラップ７の封水８より上流にエアー抜き管体９を構成し、当該エアー抜き管体９を、一端を排水経路５内に配置し、他端を排水経路５外且つキャビネット１内に配置されるよう構成したことから、空気の引き込みをエアー抜き管により行うため、室内側に面したオーバーフロー孔４や排水口３から空気を引き込まない。従って、室内側に空気の引き込み音が漏れ出すことがない。
請求項２に記載の排水装置は、排水経路５の封水８より上流箇所に、水平方向に突出して構成される排水溜まり空間１１を構成したことから、排水経路５に排水が発生した際、排水溜まり空間１１に排水が水平に入り込むことで、排水経路５が満水になりやすい状態となる。そうすることで排水の負圧による引き込みが発生しやすくなる。そして、排水経路５が満水となった場合に、排水溜まり空間１１が構成されていることでエアー抜き管体９の排水経路５内の端部よりも上流の排水経路５を排水自身により栓をする効果がある。このため、必然的に空気の引き込みの空気を排水口３やオーバーフロー孔４から吸引することなく、エアー抜き管体９からのみ空気を引き込むようにすることが出来る。
請求項３に記載の排水装置は、排水溜まり空間１１を、溢水経路６と兼用したことから、わざわざ排水溜まり空間１１を形成せずにすることができるので、部材点数減のコストダウンとなる。
請求項４に記載の排水装置は、エアー抜き管体９の排水経路５内の端部を、排水トラップ７の封水８よりも上方で、且つ封水８近辺に配置させたことから、エアー抜き管体９からの空気の引き込みがより増加し、オーバーフロー孔４や排水口３からの空気を引き込む量が少なくなる。従って空気の引き込み音がより小さくなる為、洗面ボウル２の排水口３やオーバーフロー孔４から聞こえる空気引き込みに関する音鳴りが減少する。
請求項５に記載の排水装置は、エアー抜き管体９の管径を排水経路５の管径の約３分の１の管径とした。実際の試験から、エアー抜き管体９の管径は排水経路５の３分の１であれば、エアーの引き込み量も適正かつ、排水流量を確保することができる。
請求項６に記載の排水装置は、エアー抜き管体９の排水経路５外の端部に、消音装置を配置したことから、空気の引き込みの音がより小さくなる。
【実施例】
【００１４】
本発明の第1実施例を、図面を参照しつつ説明する。
本実施例の排水装置は、図１又は図２に示したように、槽体２としての洗面ボウル２、キャビネット１、排水口３、オーバーフロー孔４、排水経路５、溢水経路６、排水トラップ７、エアー抜き管体９、から構成される。
洗面ボウル２は、内部に水を貯水／排水するための槽体２であって、底部に排水口３、上縁付近にオーバーフロー孔４を開口して構成される。
キャビネット１は、前記洗面ボウル２を上部に備え、内部に収納部を備えて、収納部は後記する排水経路５を収納する。
排水口３は、洗面ボウル２の底部に開口されて、洗面ボウル２内の排水を排水経路５へと排出するための開口である。また、後記する排水経路５が接続される。
オーバーフロー孔４は、洗面ボウル２の上縁部付近に開口され、洗面ボウル２内に貯水されている排水が洗面ボウル２より溢れ出ないように開口され、後記する溢水経路６が接続される。
排水経路５は、排水口３に接続されて最終的には下水管へと連絡される管体であって、洗面ボウル２内の排水を最終的には下水へと排出する。また、排水経路５は前記キャビネット１内に配置される。
溢水経路６は、洗面ボウル２内のオーバーフロー孔４から最終的には排水経路５まで連絡する管体であって、洗面ボウル２内の溢れ水を最終的には下水へと排出するために排水経路５まで連絡し、具体的には排水経路５の排水トラップ７の封水８より上流に接続される。また、溢水経路６は前記キャビネット１内に配置される。溢水経路６は排水経路５の上流に接続されているので、下水側からの臭気がオーバーフロー孔４を介して室内側へ逆流することがない。
排水トラップ７は、前記排水経路５中に構成されて、管体をＵ字状に屈曲して構成されて、内部に下水からの害虫や臭気を逆流させないように封水８を備えて構成される。
エアー抜き管体９は、一方の排水経路５中に端部を配置し、他端を排水経路５外の、具体的にはキャビネット１内に配置されるように構成する（以下、解放端１０という）。そして、当該実施例のエアー抜き管体９は、排水経路５内の排水トラップ７の封水８の近傍である直上に配置する。又、エアー抜き管体９の管径は、排水経路５の管径の３分の１となるように構成されている。
そして、当該エアー抜き管体９と排水経路５の接続箇所は、排水経路５の封水８より上部に接続する。このようにすることで、エアー抜き管体９から下水側の臭気や害虫が室内側へ逆流することがない。
【００１５】
本実施例の排水装置においては、以下のように排水が流れる。
洗面ボウル２に発生した排水は、洗面ボウル２底面の排水口３から排水経路５へと排出される。排水経路５中の排水は、排水トラップ７を通過して、最終的には下水管へと排出される。
洗面ボウル２内からの溢れ水は、洗面ボウル２上縁部に開口されたオーバーフロー孔４から溢水経路６へと排出される。そして、溢水経路６中の排水は排水経路５に排出され、最終的には排水トラップ７の封水８を介して下水管へと排出される。
【００１６】
上記実施例の排水装置では次のような作用がある。
この排水経路５及び排水トラップ７に排水が流入すると、排水経路５内が排水トラップ７のＵ字状の上昇部分の上昇端を回り込んだ水が下降部分を流れ落ちる。この下降部分を流れ落ちる水が、下降部分を塞いで流れ落ちる（この状態を、以下満水状態という）と、この落下流の上側に負圧が生じ、排水トラップ７内の封水８が下流へと吸い出され、封水８の下降部分から上昇部分へ空気が引き込まれる。この空気の引き込みに伴って「ズルー」といったり、「ゴボゴボ」といった異音が発生するが、この異音については排水の引き込みが発生しても、本実施例では排水経路５中に配置されたエアー抜き管体９の解放端１０から空気を引き込み、排水口３やオーバーフロー孔４から空気の引き込みを行うのではない。従って、ズルー乃至ゴボゴボ音についてはキャビネット１内では発生するが、一旦キャビネット１内を介することで、室内側へ漏れ出す騒音については、従来例と比較して排水口３やオーバーフロー孔４から直接的に聞こえるよりも消音化することができる。
【００１７】
本発明の第２実施例を、図面を参照しつつ説明する。
本実施例の排水装置は、図３又は図４に示したように、槽体２としての洗面ボウル２、キャビネット１、排水口３、オーバーフロー孔４、排水経路５、溢水経路６、排水トラップ７、エアー抜き管体９、から構成される。尚、本実施例では図１に示したキャビネット１付きの洗面ボウル２に用いられる。
洗面ボウル２は、内部に水を貯水／排水するための槽体２であって、底部に排水口３、上縁付近にオーバーフロー孔４を開口して構成される。
キャビネット１は、前記洗面ボウル２を上部に備え、内部に収納部を備えて、収納部は後記する排水経路５を収納する。
排水口３は、洗面ボウル２の底部に開口されて、洗面ボウル２内の排水を排水経路５へと排出するための開口である。また、後記する排水経路５が接続される。
オーバーフロー孔４は、洗面ボウル２の上縁部付近に開口され、洗面ボウル２内に貯水されている排水が洗面ボウル２より溢れ出ないように開口され、後記する溢水経路６が接続される。
排水経路５は、排水口３に接続されて最終的には下水管へと連絡される管体であって、洗面ボウル２内の排水を最終的には下水へと排出する。また、排水経路５は前記キャビネット１内に配置される。尚、当該実施例の排水経路５は、排水口３からの排水経路５は垂下して構成されるが、排水トラップ７の封水８より上部に排水経路５より軸心がずれるように、且つ水平方向に突出して構成される排水溜まり空間１１を構成する。
溢水経路６は、洗面ボウル２内のオーバーフロー孔４から最終的には排水経路５まで連絡する管体であって、洗面ボウル２内の溢れ水を最終的には下水へと排出するために排水経路５まで連絡し、具体的には排水経路５の排水トラップ７の封水８より上流に接続される。また、溢水経路６は前記キャビネット１内に配置される。溢水経路６は排水経路５の上流に接続されているので、下水側からの臭気がオーバーフロー孔４を介して室内側へ逆流することがない。
排水トラップ７は、前記排水経路５中に構成されて、管体をＵ字状に屈曲して構成されて、内部に下水からの害虫や臭気を逆流させないように封水８を備えて構成される。
エアー抜き管体９は、一方の排水経路５中に端部を配置し、他端を排水経路５外の、具体的にはキャビネット１内に配置されるように構成する。そして、当該実施例のエアー抜き管体９は、排水経路５内の排水トラップ７の封水８の近傍である直上に配置する。又、エアー抜き管体９の管径は、排水経路５の管径の3分の1となるように構成されている。
そして、当該エアー抜き管体９と排水経路５の接続箇所は、排水経路５の封水８より上部に接続する。このようにすることで、エアー抜き管体９から下水側の臭気や害虫が室内側へ逆流することがない。
【００１８】
本実施例排水装置においては、以下のように排水が流れる。
洗面ボウル２に発生した排水は、洗面ボウル２底面の排水口３から排水経路５へと排出される。排水経路５中の排水は、排水トラップ７を通過して、最終的には下水管へと排出される。また、排水経路５中の排水は、水平に排水溜まり空間１１に排水が流入し、排水経路５中の排水が満水となりやすくなる。
洗面ボウル２内からの溢れ水は、洗面ボウル２上縁部に開口されたオーバーフロー孔４から溢水経路６へと排出される。そして、溢水経路６中の排水は排水経路５に排出され、最終的には排水トラップ７の封水８を介して下水管へと排出される。
【００１９】
上記実施例の排水装置では次のような作用がある。
この排水経路５及び排水トラップ７に排水が流入すると、排水トラップ７のＵ字状の上昇部分の上昇端を回り込んだ水が下降部分を流れ落ちる。この下降部分を流れ落ちる水が、下降部分を塞いで流れ落ちる（この状態を、以下満水状態という）と、この落下流の上側に負圧が生じ、排水トラップ７内の封水８が下流へと吸い出され、封水８の下降部分から上昇部分へ空気が引き込まれる。この空気の引き込みに伴って「ズルー」といったり、「ゴボゴボ」といった異音が発生するが、この異音については排水の引き込みが発生しても、本実施例では、排水口３やオーバーフロー孔４から空気の引き込みを行うのではなく、解放端１０から空気の引き込みを行うので、ズルー乃至ゴボゴボ音についてはキャビネット１内では発生するが、一旦キャビネット１内を介することで、室内側へ漏れ出す騒音については、従来例と比較して排水口３やオーバーフロー孔４から直接的に聞こえるよりも消音化することができる。また、図４に示したように、排水経路５が満水となった場合に、排水溜まり空間１１が構成されていることでエアー抜き管体９の排水経路５内の端部よりも上流の排水経路５を排水自身により栓をする効果がある。このため、必然的に引き込みを排水口３やオーバーフロー孔４から吸引することなくエアー抜き管体９からのみ引き込むようにすることが出来る。
【００２０】
本発明の第３実施例を、図面を参照しつつ説明する。
本実施例の排水装置は、図５又は図６に示したように、槽体２としての洗面ボウル２、キャビネット１、排水口３、オーバーフロー孔４、排水経路５、溢水経路６、排水トラップ７、エアー抜き管体９、から構成される。尚、本実施例では図１に示したキャビネット１付きの洗面ボウル２に用いられる。
洗面ボウル２は、内部に水を貯水／排水するための槽体２であって、底部に排水口３、上縁付近にオーバーフロー孔４を開口して構成される。
キャビネット１は、前記洗面ボウル２を上部に備え、内部に収納部を備えて、収納部は後記する排水経路５を収納する。
排水口３は、洗面ボウル２の底部に開口されて、洗面ボウル２内の排水を排水経路５へと排出するための開口である。また、後記する排水経路５が接続される。
オーバーフロー孔４は、洗面ボウル２の上縁部付近に開口され、洗面ボウル２内に貯水されている排水が洗面ボウル２より溢れ出ないように開口され、後記する溢水経路６が接続される。
排水経路５は、排水口３に接続されて最終的には下水管へと連絡される管体であって、洗面ボウル２内の排水を最終的には下水へと排出する。また、排水経路５は前記キャビネット１内に配置される。また、排水口３からの排水経路５は垂下するように配管される。
溢水経路６は、洗面ボウル２内のオーバーフロー孔４から最終的には排水経路５まで連絡する管体であって、洗面ボウル２内の溢れ水を最終的には下水へと排出するために排水経路５まで連絡し、具体的には排水経路５の排水トラップ７の封水８より上流に接続される。また、溢水経路６は前記キャビネット１内に配置される。溢水経路６は排水経路５の上流に接続されているので、下水側からの臭気がオーバーフロー孔４を介して室内側へ逆流することがない。尚、当該実施例の溢水経路６は、排水経路５との接続箇所に、前記排水経路５と軸心がずれるように且つ水平方向に突出するように接続させて、当該接続箇所を排水溜まり空間１１となるように構成する。
排水トラップ７は、前記排水経路５中に構成されて、管体をＵ字状に屈曲して構成されて、内部に下水からの害虫や臭気を逆流させないように封水８を備えて構成される。
エアー抜き管体９は、一方の排水経路５中に端部を配置し、他端を排水経路５外の、具体的にはキャビネット１内に配置されるように構成する。そして、当該実施例のエアー抜き管体９は、排水経路５内の排水トラップ７の封水８の近傍である直上に配置する。又、エアー抜き管体９の管径は、排水経路５の管径の3分の1となるように構成されている。
そして、当該エアー抜き管体９と排水経路５の接続箇所は、排水経路５の封水８より上部に接続する。このようにすることで、エアー抜き管体９から下水側の臭気や害虫が室内側へ逆流することがない。
【００２１】
本実施例の排水装置においては、以下のように排水が流れる。
洗面ボウル２に発生した排水は、洗面ボウル２底面の排水口３から排水経路５へと排出される。排水経路５中の排水は、排水トラップ７を通過して、最終的には下水管へと排出される。
洗面ボウル２内からの溢れ水は、洗面ボウル２上縁部に開口されたオーバーフロー孔４から溢水経路６へと排出される。また、排水経路５中の排水は、溢れ水経路に構成された排水溜まり空間１１に水平に排水が流入し、排水経路５中の排水が満水となりやすくなる。
そして、溢水経路６中の排水は排水経路５に排出され、最終的には排水トラップ７の封水８を介して下水管へと排出される。
【００２２】
上記実施例の排水装置では次のような作用がある。
この排水経路５及び排水トラップ７に排水が流入すると、排水トラップ７のＵ字状の上昇部分の上昇端を回り込んだ水が下降部分を流れ落ちる。この下降部分を流れ落ちる水が、下降部分を塞いで流れ落ちる（この状態を、以下満水状態という）と、この落下流の上側に負圧が生じ、排水トラップ７内の封水８が下流へと吸い出され、封水８の下降部分から上昇部分へ空気が引き込まれる。この空気の引き込みに伴って「ズルー」といったり、「ゴボゴボ」といった異音が発生するが、この異音については排水の引き込みが発生しても、本実施例では排水経路５中に配置されたエアー抜き管体９の解放端１０から空気を引き込み、排水口３やオーバーフロー孔４から空気の引き込みを行うのではない。従って、ズルー乃至ゴボゴボ音についてはキャビネット１内では発生するが、一旦キャビネット１内を介することで、室内側へ漏れ出す騒音については、従来例と比較して排水口３やオーバーフロー孔４から直接的に聞こえるよりも消音化することができる。
また、図６に示したように排水経路５が満水となった場合に、排水溜まり空間１１が構成されていることでエアー抜き管体９の解放端１０から排水経路５内の端部よりも上流の排水経路５を排水自身により栓をする効果がある。このため、必然的に引き込みを排水口３やオーバーフロー孔４から吸引することなく、エアー抜き管体９の解放端１０からのみ引き込むようにすることが出来る。
また、排水溜まり空間１１を設ける場合、上記実施例のように水平方向の突出が排水溜まり空間１１の上流の排水経路５に対向するように設けると排水が効果的に溜まって好適である。
【００２３】
また、本発明は上記実施例に限定されるものではなく、特許請求の範囲に記載の範囲において適宜変更は可能である。
例えば、前記実施例では、エアー抜き管体９の解放端１０は解放されているが、例えばグラスウール素材などから構成される消音装置を取り付けても構わない。そうすることで、エアー抜き管体９から発生するズルー乃至ゴボゴボ音についても消音化することができる。
【図面の簡単な説明】
【００２４】
【図１】本発明の第１実施例の施工状態を示す断面図である。
【図２】本発明の第１実施例を示す断面図である。
【図３】本発明の第２実施例を示す断面図である。
【図４】本発明の第２実施例の排水の状態を示す断面図である。
【図５】本発明の第３実施例を示す断面図である。
【図６】本発明の第３実施例の排水の状態を示す断面図である。
【図７】従来例を示す断面図である。
【符号の説明】
【００２５】
１    キャビネット
２    槽体（洗面ボウル）
３    排水口
４    オーバーフロー孔
５    排水経路
６    溢水経路
７    排水トラップ
８    封水
９    エアー抜き管体
１０  解放端
１１  排水溜まり空間
【図１】
0004779073.tif 000002
【図２】
0004779073.tif 000003
【図３】
0004779073.tif 000004
【図４】
0004779073.tif 000005
【図５】
0004779073.tif 000006
【図６】
0004779073.tif 000007
【図７】
0004779073.tif 000008